(57)【要約】      （修正有）【課題】簡易な操作で取手のワークテーブル本体に対する装着角度を調整する。【解決手段】ワークテーブル本体１１は、丸穴１２の円周面１２ａに丸穴１２の軸方向に延長する複数のキー溝１２ｂを所定間隔で有する。取手２１は、延長軸２２の表面に延長軸２２の軸方向に沿う単一のキー２２ａを有する。取手２１の延長軸２２をワークテーブル本体１１の丸穴１２に挿入した状態で、術者が、延長軸２２を前後動することにより、キー２２ａをキー溝１２ｂの任意の１つに係合し、或いは、キー溝１２ｂとの係合を解除することにより、取手２１のワークテーブル本体１１に対する装着角度を所望の角度に調整可能にした。【選択図】図１
2011041692.tif 000002
【特許請求の範囲】
【請求項１】
円柱状の延長軸を有する取手と、該取手の前記延長軸が挿脱自在に装着される丸穴を有するワークテーブル本体とから成り、該ワークテーブル本体は、前記丸穴の円周面に該丸穴の軸方向に延長する複数のキー溝を所定間隔で有し、前記取手は、前記延長軸の表面に該延長軸の軸方向に沿う単一のキーを有し、前記取手の前記延長軸を前記ワークテーブル本体の前記丸穴に挿入した状態で前記延長軸を前後動することにより、前記キーを前記キー溝の任意の１つに係合し、或いは、該キー溝との係合を解除可能とし、前記取手の前記ワークテーブル本体に対する装着角度を所望の角度に調整可能にしたことを特徴とする歯科治療用ワークテーブル。
【請求項２】
円柱状の延長軸を有する取手と、該取手の前記延長軸が挿脱自在に装着される丸穴を有するワークテーブル本体とから成り、前記取手は、該取手の前記延長軸を覆い該延長軸の周方向には回動しないが該延長軸の軸方向には移動する円筒状のブラケットを有し、前記ワークテーブル本体は、前記円筒状のブラケットの先端部が挿入される円形溝を前記丸穴の周囲に有し、前記円形溝の内周壁面に該円形溝の深さ方向に延長する複数のキー溝を所定間隔で有し、前記ブラケットは、該ブラケットの内面に該ブラケットの軸方向に沿う単一のキーを有し、前記取手の前記延長軸を前記ワークテーブル本体の前記丸穴に挿入した状態で前記ブラケットを前後動することにより、前記キーを前記キー溝の任意の１つに係合し、或いは、該キー溝との係合を解除可能とし、前記取手の前記ワークテーブル本体に対する装着角度を所望の角度に調整可能にしたことを特徴とする歯科治療用ワークテーブル。
【請求項３】
円柱状の延長軸を有する取手と、該取手の前記延長軸が挿脱自在に装着される丸穴を有するワークテーブル本体とから成り、前記取手は、該取手の前記延長軸を覆い該延長軸に固定された円筒状のブラケットを有し、前記ワークテーブル本体は、前記円筒状のブラケットの先端部が挿入される円形溝を前記丸穴の周囲に有し、前記円形溝の内周壁面に該円形溝の深さ方向に延長する複数のキー溝を所定間隔で有し、前記ブラケットは、該ブラケットの内面に該ブラケットの軸方向に沿う単一のキーを有し、前記取手の前記延長軸を前記ワークテーブル本体の前記丸穴に挿入した状態で前記延長軸を前後動することにより、前記キーを前記キー溝の任意の１つに係合し、或いは、該キー溝との係合を解除可能とし、前記取手の前記ワークテーブル本体に対する装着角度を所望の角度に調整可能にしたことを特徴とする歯科治療用ワークテーブル。
【発明の詳細な説明】
【技術分野】
【０００１】
本発明は、歯科治療において、歯科治療器具や薬剤等を載置する歯科治療用ワークテーブル（以下、ワークテーブルと略称する）に関し、特に、取手のワークテーブル本体に対する装着角度を調整できるようにして、ワークテーブルの操作性、術者の作業性を向上させたものである。
【背景技術】
【０００２】
図７は、本発明が適用されるワークテーブルを有する歯科用治療ユニットの一例を示す全体構成図で、該歯科治療ユニットは、治療椅子１（安頭台，バックレスト，コンターシート，レッグレスト，フットレストから成る），ワークテーブル本体２，ワークテーブル本体２の取手３，スピットン４，無影灯５，インスツルメントホルダ６，フットスイッチ７，アシスタント用インスツルメントホルダ８等から成り、インスツルメントホルダ６には、歯科治療において術者（ドクター）が使用する種々のドクター用インスツルメント９が挿脱自在に収納されており、アシスタント用インスツルメントホルダ８にはアシスタントが使用するアシスタント用インスツルメント１０が挿脱自在に収納されている。
【発明の概要】
【発明が解決しようとする課題】
【０００３】
術者がワークテーブル本体２の取手３を握りワークテーブル本体２を移動させる場合、取手３のワークテーブル本体２に対する装着角度を術者の握りやすい角度（位置）に簡易な操作で調整できると便利である。また、術者がワークテーブル本体２のトレー上で作業する場合、取手３のワークテーブル本体２に対する装着角度を術者にとって邪魔にならない角度（位置）に簡易な操作で調整できると便利である。
【０００４】
本発明は、上述のごとき実情に鑑みてなされたもので、取手のワークテーブル本体に対する装着角度を簡易な操作で調整可能なワークテーブルを提供することを目的としてなされたものである。
【課題を解決するための手段】
【０００５】
請求項１の発明は、円柱状の延長軸を有する取手と、該取手の前記延長軸が挿脱自在に装着される丸穴を有するワークテーブル本体とから成り、該ワークテーブル本体は、前記丸穴の円周面に該丸穴の軸方向に延長する複数のキー溝を所定間隔で有し、前記取手は、前記延長軸の表面に該延長軸の軸方向に沿う単一のキーを有し、前記取手の前記延長軸を前記ワークテーブル本体の前記丸穴に挿入した状態で前記延長軸を前後動することにより、前記キーを前記キー溝の任意の１つに係合し、或いは、該キー溝との係合を解除可能とし、前記取手の前記ワークテーブル本体に対する装着角度を所望の角度に調整可能にしたことを特徴とする歯科治療用ワークテーブルである。
【０００６】
請求項２の発明は、円柱状の延長軸を有する取手と、該取手の前記延長軸が挿脱自在に装着される丸穴を有するワークテーブル本体とから成り、前記取手は、該取手の前記延長軸を覆い該延長軸の周方向には回動しないが該延長軸の軸方向には移動する円筒状のブラケットを有し、前記ワークテーブル本体は、前記円筒状のブラケットの先端部が挿入される円形溝を前記丸穴の周囲に有し、前記円形溝の内周壁面に該円形溝の深さ方向に延長する複数のキー溝を所定間隔で有し、前記ブラケットは、該ブラケットの内面に該ブラケットの軸方向に沿う単一のキーを有し、前記取手の前記延長軸を前記ワークテーブル本体の前記丸穴に挿入した状態で前記ブラケットを前後動することにより、前記キーを前記キー溝の任意の１つに係合し、或いは、該キー溝との係合を解除可能とし、前記取手の前記ワークテーブル本体に対する装着角度を所望の角度に調整可能にしたことを特徴とする歯科治療用ワークテーブルである。
【０００７】
請求項３の発明は、円柱状の延長軸を有する取手と、該取手の前記延長軸が挿脱自在に装着される丸穴を有するワークテーブル本体とから成り、前記取手は、該取手の前記延長軸を覆い該延長軸に固定された円筒状のブラケットを有し、前記ワークテーブル本体は、前記円筒状のブラケットの先端部が挿入される円形溝を前記丸穴の周囲に有し、前記円形溝の内周壁面に該円形溝の深さ方向に延長する複数のキー溝を所定間隔で有し、前記ブラケットは、該ブラケットの内面に該ブラケットの軸方向に沿う単一のキーを有し、前記取手の前記延長軸を前記ワークテーブル本体の前記丸穴に挿入した状態で前記延長軸を前後動することにより、前記キーを前記キー溝の任意の１つに係合し、或いは、該キー溝との係合を解除可能とし、前記取手の前記ワークテーブル本体に対する装着角度を所望の角度に調整可能にしたことを特徴とする歯科治療用ワークテーブルである。
【発明の効果】
【０００８】
本発明によれば、術者は、ワークテーブル本体を頻繁に移動する場合に、取手のワークテーブル本体に対する装着角度（位置）を握りやすい角度に変えたり、また、ワークテーブル本体のトレー上で頻繁に作業する場合に、取手のワークテーブル本体に対する装着角度を作業の邪魔にならない角度に変えたりと、取手のワークテーブル本体に対する装着角度を術者の所望の角度に簡易な操作で調整できるので、ワークテーブルの操作性、術者の作業性が向上する。また、取手の装着角度を調整する機構は単純な構造なのでワークテーブルの製造コストを抑えることができる。
【図面の簡単な説明】
【０００９】
【図１】本発明によるワークテーブルの一実施例を説明するための要部概略構成図である。
【図２】本発明によるワークテーブル本体、取手の断面図である。
【図３】本発明によるワークテーブルの他の実施例を説明するための要部概略構成図である。
【図４】本発明によるワークテーブル本体、取手の他の断面図である。
【図５】本発明によるワークテーブル本体、取手の他の断面図である。
【図６】本発明によるワークテーブル本体、取手の他の断面図である。
【図７】本発明が適用されるワークテーブルを有する歯科治療ユニットの一例を示す全体構成図である。
【発明を実施するための形態】
【００１０】
（実施例１）
図１は、本発明によるワークテーブルの一実施例を説明するための要部概略構成図で、図中、１１はワークテーブル本体、２１はワークテーブル本体１１の取手である。本発明の歯科治療用ワークテーブルは、ワークテーブル本体１１と取手２１とから成る。なお、ワークテーブル本体１１の下部には、図７に示したように、インスツルメントホルダが設けられているが、図１では省略してある。
図２は、図１のワークテーブル本体１１及び取手２１におけるＸ−Ｘ線断面図である。
【００１１】
以下、図１、図２（Ａ）を参照しながら、図１のワークテーブル本体１１及び取手２１の構造の詳細について説明する。
ワークテーブル本体１１は側部１１ａに丸穴１２を有し、丸穴１２に取手２１の延長軸２２が挿脱自在に装着される。丸穴１２は円周面１２ａに丸穴１２の軸方向に延長する複数のキー溝１２ｂを所定間隔で有する。
取手２１は端２１ａに円柱状の延長軸２２を有する。なお、取手２１は他端に術者が取手２１を握る握部２１ｂ（図１参照）を有する。延長軸２２は延長軸２２の軸方向に沿う単一のキー２２ａを有する。キー２２ａはワークテーブル本体１１の丸穴１２に有るキー溝１２ｂの任意の１つに係合する。
【００１２】
また、取手２１は延長軸２２の周方向に凸部（つば）２３を有する。凸部２３は、ワークテーブル本体１１とは反対側で、取手２１のキー２２ａに接する。後述するように、凸部２３は、ワークテーブル本体１１の丸穴１２に取手２１の延長軸２２が装着されている状態において、ワークテーブル本体１１の丸穴１２やキー溝１２ｂが見えないようにするものである。
【００１３】
次に、図１及び図２（Ａ）〜図２（Ｃ）を用いて、ワークテーブル本体１１の丸穴１２に取手２１の延長軸２２を装着して取手２１のワークテーブル本体１１に対する装着角度を調整する作業を説明する。
図２（Ｂ）、図２（Ｃ）は、ワークテーブル本体１１の丸穴１２に取手２１の延長軸２２を装着して取手２１のワークテーブル本体１１に対する装着角度を調整する作業を説明するためのワークテーブル本体１１及び取手２１のＸ−Ｘ線断面図である（Ｘ−Ｘ線については図１を参照）。
【００１４】
術者は、図１の矢印Ａ１に示すように、取手２１の延長軸２２を回動し、取手２１のワークテーブル本体１１に対する装着角度を所望の角度に調整すると共に、取手２１の延長軸２２とワークテーブル本体１１の丸穴１２の軸を合わせる（軸合わせ）。このとき、ワークテーブル本体１１のキー溝１２ｂの任意の１つと取手２１のキー２２ａとを直線上に位置させる。そして、図１の矢印Ａ２に示すように、取手２１の延長軸２２をワークテーブル本体１１の丸穴１２に装着（挿入）する。このときのワークテーブル本体１１及び取手２１のＸ−Ｘ線断面図を図２（Ｂ）に示す。図２（Ｂ）に示した状態においては、取手２１のキー２２ａは、まだ、ワークテーブル本体１１のキー溝１２ｂに係合していない。
【００１５】
そして、術者は、図２（Ｃ）に示したように、さらに、取手２１の延長軸２２を、ワークテーブル本体１１の奥へ挿入する（矢印Ａ３参照）。このとき、取手２１のキー２２ａは、ワークテーブル本体１１のキー溝１２ｂの任意の１つに係合するので、取手２１のワークテーブル本体１１に対する装着角度（回動）を固定することができる。
【００１６】
次に、図２（Ｃ）に示したように、ワークテーブル本体１１の丸穴１２に取手２１の延長軸２２を装着した後、術者が、再度、取手２１の延長軸２２を回動し取手２１のワークテーブル本体１１に対する装着角度を調整する場合について、図２（Ｂ）及び図２（Ｃ）を用いて説明する。
図２（Ｃ）に示したように、ワークテーブル本体１１の丸穴１２に取手２１の延長軸２２を装着して取手２１のワークテーブル本体１１に対する装着角度を固定している状態において、術者は、取手２１の延長軸２２を矢印Ａ３とは逆の方向（図２の左側方向）に動かし、図２（Ｂ）に示したように、ワークテーブル本体１１のキー溝１２ｂに対する取手２１のキー２２ａの係合を解除する。そして、前述したように、取手２１の延長軸２２を回動した後、取手２１の延長軸２２を矢印Ａ３方向（図２の右側方向）に動かして、取手２１のワークテーブル本体１１に対する装着角度を固定する。
【００１７】
図２（Ｂ）、図２（Ｃ）に示したように、本発明によれば、ワークテーブル本体１１の丸穴１２に取手２１の延長軸２２を挿入した状態で、取手２１の延長軸２２を前後動（図２の左右方向）することにより、取手２１のキー２２ａをワークテーブル本体１１のキー溝１２ｂの任意の１つに係合し、或いは、キー溝１２ｂとの係合を解除可能とし、取手２１のワークテーブル本体１１に対する装着角度を所望の角度に調整可能にすることができる。つまり、ワークテーブル本体１１の丸穴１２から取手２１の延長軸２２を抜くことなく、取手２１のワークテーブル本体１１に対する装着角度を調整することができる。
【００１８】
なお、図１及び図２に示したように、本実施例では、取手２１のキー２２ａは１つであるが、複数でもよい。取手２１の延長軸２２に複数のキー溝を設け、ワークテーブル本体１１の丸穴１２に該複数のキー溝の任意の１つに係合するキーを設けてもよい。
図１では、取手２１の延長軸２２がワークテーブル本体１１の正面左側に装着されるが、図１の２点鎖線Ｒで示すように、取手２１の延長軸２２をワークテーブル本体１１の正面右側に装着してもよい。この場合、ワークテーブル本体１１の正面右側に丸穴１２、キー溝１２ｂを設ける。
【００１９】
（実施例２）
図３は、本発明によるワークテーブルの他の実施例を説明するための要部概略構成図で、図中、３１はワークテーブル本体、４１はワークテーブル本体３１の取手である。本発明の歯科治療用ワークテーブルは、ワークテーブル本体３１と取手４１等から成る。なお、ワークテーブル本体３１の下部には、図７に示したように、インスツルメントホルダが設けられているが、図３では省略してある。
図４は、図３のワークテーブル本体３１及び取手４１におけるＸ−Ｘ線断面図である。
【００２０】
以下、図３、図４（Ａ）を参照しながら、図３のワークテーブル本体３１及び取手４１の構造の詳細について説明する。
ワークテーブル本体３１は側部３１ａに丸穴３２を有し、丸穴３２に取手４１の延長軸４２が挿脱自在に挿入される。ワークテーブル本体３１は丸穴３２の周囲に円形溝３３を有し、円形溝３３に円筒状のブラケット４３の先端部が挿入される。円形溝３３の内周壁面３４は円形溝３３の深さ方向に延長する複数のキー溝３４ａを所定間隔で有する。
【００２１】
取手４１は端４１ａに円柱状の延長軸４２を有する。なお、取手４１は他端に術者が取手４１を握る握部４１ｂ（図３参照）を有する。取手４１は延長軸４２を覆う有底円筒状のブラケット４３を有する。ブラケット４３は底部４３ａに丸穴４３ｂを有し、丸穴４３ｂに取手４１の延長軸４２が挿通される。ブラケット４３は内面４３ｃ（図４（Ａ）参照）にブラケット４３の軸方向に沿う単一のキー４３ｄを有する。キー４３ｄはワークテーブル本体３１の内周壁面３４に有るキー溝３４ａの任意の１つに係合することにより、取手４１のワークテーブル本体３１に対する装着角度を固定する。
【００２２】
取手４１は延長軸４２の周方向に凸部４４を有する。凸部４４は表面に取手４１の延長軸４２の軸方向に延長するキー溝４４ａを有する。図４（Ａ）に示したように、ブラケット４３のキー４３ｄは、凸部４４のキー溝４４ａに係合する。この係合により、ブラケット４３は、取手４１の延長軸４２の周方向には回動しないが延長軸４２の軸方向には移動する。
【００２３】
次に、図３及び図４（Ａ）〜図４（Ｃ）を用いて、ワークテーブル本体３１の丸穴３２に取手４１の延長軸４２を装着して取手４１のワークテーブル本体３１に対する装着角度を調整する作業を説明する。
図４（Ｂ）、図４（Ｃ）は、ワークテーブル本体３１の丸穴３２に取手４１の延長軸４２を装着して取手４１のワークテーブル本体３１に対する装着角度を調整する作業を説明するためのワークテーブル本体３１及び取手４１のＸ−Ｘ線断面図である（Ｘ−Ｘ線については図３を参照）。
【００２４】
術者は、図３の矢印Ａ４に示すように、取手４１の延長軸４２を回動し、取手４１のワークテーブル本体３１に対する装着角度を所望の角度に調整すると共に、取手４１の延長軸４２とワークテーブル本体３１の丸穴３２の軸を合わせる（軸合わせ）。そして、図３の矢印Ａ５に示すように、取手４１の延長軸４２をワークテーブル本体３１の丸穴３２に挿入する。このときのワークテーブル本体３１及び取手４１のＸ−Ｘ線断面図を図４（Ｂ）に示す。術者は、図４（Ｂ）に示したように、取手４１の凸部４４がワークテーブル本体３１の側部３１ａに当接するまで、取手４１の延長軸４２をワークテーブル本体３１の丸穴３２に挿入する（丸穴３２については図４（Ａ）参照）。
【００２５】
このとき、ワークテーブル本体３１のキー溝３４ａの任意の１つとブラケット４３のキー４３ｄとを直線上に配置する。次に、図４（Ｃ）に示したように、ブラケット４３を矢印Ａ７方向（図４の右側方向）に動かす。すると、ブラケット４３の先端部がワークテーブル本体３１の円形溝３３（図４（Ｂ）参照）に挿入され、同時にブラケット４３のキー４３ｄは、ワークテーブル本体３１のキー溝３４ａの任意の１つに係合することになる。この係合により、取手４１のワークテーブル本体３１に対する装着角度（回動）を固定することができる。
【００２６】
次に、図４（Ｃ）に示したように、ワークテーブル本体３１の丸穴３２に取手４１の延長軸４２を装着した後、術者が、再度、取手４１の延長軸４２を回動し取手４１のワークテーブル本体３１に対する装着角度を調整する場合について、図４（Ｂ）及び図４（Ｃ）を用いて説明する。
図４（Ｃ）に示したように、ワークテーブル本体３１の丸穴３２に取手４１の延長軸４２を装着して取手４１のワークテーブル本体３１に対する装着角度を固定している状態において、術者は、ブラケット４３を矢印Ａ７とは逆の方向（図４の左側方向）に動かし、図４（Ｂ）に示したように、ワークテーブル本体３１のキー溝３４ａに対するブラケット４３のキー４３ｄの係合を解除する。そして、前述したように、取手４１の延長軸４２を回動した後、ブラケット４３を矢印Ａ７方向（図４の右側方向）に動かして、取手４１のワークテーブル本体３１に対する装着角度を固定する。
【００２７】
図４（Ｂ）、図４（Ｃ）に示したように、本発明によれば、ワークテーブル本体３１の丸穴３２に取手４１の延長軸４２を挿入した状態で、取手４１のブラケット４３を前後動（図４の左右方向）することにより、ブラケット４３のキー４３ｄをワークテーブル本体３１のキー溝３４ａの任意の１つに係合し、或いは、キー溝３４ａとの係合を解除可能とし、取手４１のワークテーブル本体３１に対する装着角度を所望の角度に調整可能にすることができる。つまり、ワークテーブル本体３１の丸穴３２から取手４１の延長軸４２を抜くことなく、取手４１のワークテーブル本体３１に対する装着角度を調整することができる。
【００２８】
なお、図３及び図４に示したように、本実施例では、ブラケット４３のキー４３ｄは１つであったが、複数でもよい。
他にもブラケット４３の外面にブラケット４３の軸方向に沿うキーを設け、該キーが係合するキー溝をワークテーブル本体３１の円形溝３３の内周壁面３４に対向する壁面に複数設けてもよい。
図３では、取手４１の延長軸４２がワークテーブル本体３１の正面左側に装着されるが、図３の２点鎖線Ｒで示すように、取手４１の延長軸４２をワークテーブル本体３１の正面右側に装着してもよい。この場合、ワークテーブル本体３１の正面右側に丸穴３２、円形溝３３、キー溝３４ａを設ける。
【００２９】
（実施例３）
次に、取手の延長軸を覆い該延長軸の周方向には回動しないが該延長軸の軸方向には移動するブラケットの他の例を示す。
図５は、本発明によるワークテーブルの他の実施例を説明するための断面図で、図中、３１はワークテーブル本体、５１はワークテーブル本体３１の取手（一部）を示したものである。ワークテーブル本体３１は、図３及び図４で説明したワークテーブル本体と同じものである。
【００３０】
図５（Ａ）は、ワークテーブル本体３１の丸穴３２に取手５１の延長軸５２が装着されていない状態における、ワークテーブル本体３１及び取手５１の断面図である。なお、丸穴３２、円形溝３３、内周壁面３４、キー溝３４ａ等については、図３及び図４で詳細に説明したのでその説明は省略する。
【００３１】
取手５１は端５１ａに円柱状の延長軸５２を有する。取手５１は延長軸５２を覆う有底円筒状のブラケット５３を有する。ブラケット５３は底部５３ａに丸穴５３ｂを有し、丸穴５３ｂに取手５１の延長軸５２が挿通される。ブラケット５３は内面５３ｃにブラケット５３の軸方向に沿う単一の第１キー５３ｄ及び第２キー５３ｅを有する。第１キー５３ｄはワークテーブル本体３１の内周壁面３４に有るキー溝３４ａの任意の１つに係合することにより、取手５１のワークテーブル本体３１に対する装着角度を固定する。第２キー５３ｅは延長軸５２のキー溝５２ａに係合する。
【００３２】
取手５１は延長軸５２の表面に延長軸５２の軸方向に延長するキー溝５２ａを有し、このキー溝５２ａにブラケット５３の第２キー５３ｅが係合する。この係合により、ブラケット５３は、取手５１の延長軸５２の周方向には回動しないが延長軸５２の軸方向には移動する。
【００３３】
図５（Ｂ）、図５（Ｃ）は、ワークテーブル本体３１の丸穴３２に取手５１の延長軸５２を装着して取手５１のワークテーブル本体３１に対する装着角度を調整する作業を説明するためのワークテーブル本体３１及び取手５１の断面図である。
【００３４】
術者は、図５（Ｂ）に示したように、ワークテーブル本体３１の丸穴３２に取手５１の延長軸５２を装着して、ブラケット５３を矢印Ａ８方向（図５の右側方向）に動かせば、図５（Ｃ）に示したように、ブラケット５３の第１キー５３ｄが、ワークテーブル本体３１のキー溝３４ａの任意の１つに係合する。また、ブラケット５３を矢印Ａ８方向とは逆方向（図５の左側方向）に動かせば、図５（Ｂ）に示したように、ワークテーブル本体３１のキー溝３４ａに対するブラケット５３の第１キー５３ｄの係合を解除することができる。
このようにすることで、図３及び図４で説明した取手４１の延長軸４２に凸部４４を設ける必要がないので、製造コストを削減し、製造工程を簡略化することができる。
【００３５】
なお、図５に示したように、本実施例では、ブラケット５３の第１キー５３ｄは１つであったが、複数でもよい。
他にもブラケット５３の外面にブラケット５３の軸方向に沿うキーを設け、該キーが係合するキー溝をワークテーブル本体３１の円形溝３３の内周壁面３４に対向する壁面に複数設けてもよい。
【００３６】
（実施例４）
次に、取手の延長軸に固定されているブラケットの例を示す。
図６は、本発明によるワークテーブルの他の実施例を説明するための断面図で、図中、３１はワークテーブル本体、６１はワークテーブル本体３１の取手（一部）を示したものである。取手６１の延長軸６２を覆うブラケット６３は、延長軸６２に固定されており、延長軸６２の周方向及び軸方向には動かない。
【００３７】
図６（Ａ）は、ワークテーブル本体３１の丸穴３２に取手６１の延長軸６２が装着されていない状態における、ワークテーブル本体３１及び取手６１の断面図である。
取手６１は端６１ａに円柱状の延長軸６２を有する。取手６１は延長軸６２を覆う有底円筒状のブラケット６３を有する。ブラケット６３は底部６３ａに丸穴６３ｂを有し、丸穴６３ｂに取手６１の延長軸６２が挿通される。ブラケット６３（丸穴６３ｂ）と取手６１の延長軸６２は接着剤６４で固定されている。また、ブラケット６３は内面６３ｃにブラケット６３の軸方向に沿う単一のキー６３ｄを有する。なお、丸穴３２、円形溝３３、内周壁面３４、キー溝３４ａ等については、図３及び図４で詳細に説明したのでその説明は省略する。
【００３８】
図６（Ｂ）、図６（Ｃ）は、ワークテーブル本体３１の丸穴３２に取手６１の延長軸６２を装着して取手６１のワークテーブル本体３１に対する装着角度を調整する作業を説明するためのワークテーブル本体３１及び取手６１の断面図である。
【００３９】
術者は、図６（Ｂ）に示したように、取手６１の延長軸６２をワークテーブル本体３１の丸穴３２に装着（挿入）する。そして、取手６１の延長軸６２をワークテーブル本体３１の奥に挿入する（矢印Ａ９参照）。すると、図６（Ｃ）に示したように、ブラケット６３の先端部がワークテーブル本体３１の円形溝３３に挿入され、同時にブラケット６３のキー６３ｄは、ワークテーブル本体３１のキー溝３４ａの任意の１つに係合する。また、取手６１の延長軸６２を矢印Ａ９とは逆方向（図６の左側方向）に動かせば、図６（Ｂ）に示したように、ワークテーブル本体３１のキー溝３４ａに対するブラケット６３のキー６３ｄの係合を解除することができる。
このようにすることで、取手６１の延長軸６２にキー溝（図５の符号５２ａ参照）を設けたり、ブラケット６３に第２キー（図５の符号５３ｅ参照）を設ける必要がないので、製造コストを削減し、製造工程を簡略化することができる。
【００４０】
なお、図６に示したように、本実施例では、ブラケット６３のキー６３ｄは１つであったが、複数でもよい。
他にもブラケット６３の外面にブラケット６３の軸方向に沿うキーを設け、該キーが係合するキー溝をワークテーブル本体３１の円形溝３３の内周壁面３４に対向する壁面に複数設けてもよい。
【符号の説明】
【００４１】
１…治療椅子、２…ワークテーブル、３…取手、４…スピットン、５…無影灯、６…インスツルメントホルダ、７…フットスイッチ、８…アシスタント用インスツルメントホルダ、９…ドクター用インスツルメント、１０…アシスタント用インスツルメント、１１…ワークテーブル本体、１１ａ…側部、１２…丸穴、１２ａ…内面、１２ｂ…キー溝、２１…取手、２１ａ…取手の端、２１ｂ…握部、２２…延長軸、２２ａ…キー、２３…凸部、３１…ワークテーブル本体、３１ａ…側部、３２…丸穴、３３…円形溝、３４…内周壁面、３４ａ…キー溝、４１…取手、４１ａ…取手の端、４１ｂ…握部、４２…延長軸、４３…ブラケット、４３ａ…底部、４３ｂ…丸穴、４３ｃ…内面、４３ｄ…キー、４４…凸部、４４ａ…キー溝、５１…取手、５１ａ…取手の端、５２…延長軸、５２ａ…キー溝、５３…ブラケット、５３ａ…底部、５３ｂ…丸穴、５３ｃ…内面、５３ｄ…第１キー、５３ｅ…第２キー、６１…取手、６１ａ…取手の端、６２…延長軸、６２ａ…キー溝、６３…ブラケット、６３ａ…底部、６３ｂ…丸穴、６３ｃ…内面、６３ｄ…キー、６４…接着剤。
【図１】
2011041692.tif 000003
【図２】
2011041692.tif 000004
【図３】
2011041692.tif 000005
【図４】
2011041692.tif 000006
【図５】
2011041692.tif 000007
【図６】
2011041692.tif 000008
【図７】
2011041692.tif 000009